(57)【要約】【課題】シート列数やシートピッチの変更に対応できるヒータダクト構造を提供する。【解決手段】ヒータダクト構造１０は、バス車両の暖房装置からの温風をバス車両の各シート列に供給するヒータダクトの構造であって、バス車両の車室の前後方向に延びるように配置される溝部材１２と、溝部材１２の開口部１２Ａを覆うように、各シート列に対応する位置に配置され、温風を吹き出す吹出口１５を有する複数のノズル板１４と、隣接するノズル板１４間に配置され、隣接するノズル板１４間に露出した開口部１２Ａを覆うように設けられる少なくとも一つの蓋部材１６とを備える。【選択図】  図２
2011131742.tif 000002
【特許請求の範囲】
【請求項１】
バス車両の暖房装置からの温風を前記バス車両の各シート列に供給するヒータダクトの構造であって、
前記バス車両の車室の前後方向に延びるように配置される溝部材と、
前記溝部材の開口部を覆うように、前記各シート列に対応する位置に配置され、前記温風を吹き出す吹出口を有する複数のノズル板と、
隣接する前記ノズル板間に配置され、前記隣接する前記ノズル板間に露出した前記開口部を覆うように設けられる少なくとも一つの蓋部材とを備えることを特徴とするヒータダクト構造。
【請求項２】
前記溝部材は、前記車室の床下に埋設されており、間隙を空けて外層部材によって被覆されていることを特徴とする請求項１に記載のヒータダクト構造。
【請求項３】
前記溝部材は、前記車室の前方から前記車室の後方に向かって前記吹出口への分岐点を経るにしたがって断面積が減少することを特徴とする請求項１又は２に記載のヒータダクト構造。
【発明の詳細な説明】
【技術分野】
【０００１】
本発明は、バス車両の暖房装置からの温風をバス車両の各シート列に供給するヒータダクト構造に関する。
【背景技術】
【０００２】
バス車両の車室内を暖房するものとして、シート本体に着座している乗客の足もとを暖める暖房装置が一般に使用されている。
【０００３】
バス車両の暖房装置には、エンジンの冷却水の熱を利用して空気を暖めるヒータユニットが設けられている。このヒータユニットで生成される温風は、車室の側壁（窓側）に設けられるヒータダクト（暖房ダクト）を介してシート本体付近まで運ばれ、ヒータダクトに設けられるノズルによって乗客の足もとに供給される。
【０００４】
例えば、特許文献１には、車室の前後方向に延びるように車室の両側壁側の床面上にそれぞれ配置されるヒータダクトを備えたバス用空調装置が記載されている。このヒータダクトは、車室の前後方向に間隔を隔てて形成された複数の吹出口を有しており、吹出口から温風が吹き出されるようになっている。
【先行技術文献】
【特許文献】
【０００５】
【特許文献１】特開平８−１２７２２７号公報
【発明の概要】
【発明が解決しようとする課題】
【０００６】
一般的に、バス車両の仕様によってシートピッチ（座席の間隔）の変更が生じた場合、効率的に乗客の足もとに温風を供給する観点から、シート列数やシートピッチの変更に応じて吹出口の位置を変更することが好ましい。
しかし、特許文献１に記載されるヒータダクトは、吹出口を含む一体化構造であるため、吹出口の位置を変更することは難しい。
【０００７】
本発明は、上述の事情に鑑みてなされたものであり、シート列数やシートピッチの変更に対応できるヒータダクト構造を提供することを目的とする。
【課題を解決するための手段】
【０００８】
本発明に係るヒータダクト構造は、バス車両の暖房装置からの温風を前記バス車両の各シート列に供給するヒータダクトの構造であって、前記バス車両の車室の前後方向に延びるように配置される溝部材と、前記溝部材の開口部を覆うように、前記各シート列に対応する位置に配置され、前記温風を吹き出す吹出口を有する複数のノズル板と、隣接する前記ノズル板間に配置され、前記隣接する前記ノズル板間に露出した前記開口部を覆うように設けられる少なくとも一つの蓋部材を備えることを特徴とする。
【０００９】
このヒータダクト構造では、複数のノズル板と、蓋部材とを組み合わせて構成されるので、シート列数に合わせてノズル板の個数を増減することができる。このため、シート列数にあわせて吹出口の数を変更することができる。よって、シート列の数が変更する場合であっても、新規に部品を製作することなく部品を共通化することができ、シート列数の変更に対応することができる。また、製作コストを低減することができる。
【００１０】
さらに、ノズル板および蓋部材は、溝部材に沿って車室の前後方向に自由に動かすことができる。よって、シート列数の増減やシート列のレイアウトに伴ってシートピッチを変更する場合であっても、シートピッチに応じて吹出口の位置を容易に変更することができる。
【００１１】
上記ヒータダクト構造において、前記溝部材は、前記車室の床下に埋設されており、間隙を空けて外層部材によって被覆されていることが好ましい。
このように、床下埋設なので、車室の床上空間を大きくすることができ、車室の居住性が向上する。また、溝部材と外層部材とのあいだに設けられる間隙によって空気層が形成され、断熱性が向上する。
【００１２】
また、前記溝部材は、前記車室の前方から前記車室の後方に向かって前記吹出口への分岐点を経るにしたがって断面積が減少してもよい。
これにより、車室の前方から車室の後方に向かって流れる温風の風速をシート列の最後列まで維持することができる。このため、車室の前方後方に関わらず、吹出口から吹き出す温風の風速が均一となり、均等な配風が可能となる。よって、車室内を効率よく暖めることができる。
【発明の効果】
【００１３】
本発明では、複数のノズル板と、蓋部材とを組み合わせて構成されるので、シート列数に合わせて吹出口を有するノズル板の個数を増減することができる。このため、ノズル板および蓋部材の個数を増減することにより、シートピッチの変更に対応することができるので、新規に部品を製作することなく部品を共通化することができる。よって、製作コストを低減することができる。
【００１４】
さらに、ノズル板および蓋部材は、溝部材に沿って車室の前後方向に自由に動かすことができる。よって、シート列数の増減やシート列のレイアウトに伴ってシートピッチを変更する場合であっても、シートピッチに応じて吹出口の位置を容易に変更することができる。
【図面の簡単な説明】
【００１５】
【図１】ヒータダクト構造の配置例を示す斜視図である。
【図２】実施形態１のヒータダクト構造の構成例を示す斜視図である。
【図３】図２のヒータダクト構造の蓋部材の取り付け例を示す上面図である。
【図４】実施形態２のヒータダクト構造の構成例を示す図であり、（ａ）は側面図、（ｂ）は上面図である。
【図５】実施形態３のヒータダクト構造の構成例を示す一部断面図である。
【発明を実施するための形態】
【００１６】
以下、添付図面に従って本発明の実施形態について説明する。但しこの実施形態に記載されている構成部品の寸法、材質、形状、その相対的配置等は特に特定的な記載がない限りは、この発明の範囲をそれに限定する趣旨ではなく、単なる説明例に過ぎない。
【００１７】
［実施形態１］
図１は、ヒータダクト構造の配置例を示す斜視図である。図２は、実施形態１のヒータダクト構造の構成例を示す斜視図である。図３は、図２のヒータダクト構造の蓋部材の取り付け例を示す上面図である。
【００１８】
本実施形態のヒータダクト構造１０は、図１に示すように、バス車両の前後方向に延びるように配置されており、バス車両の暖房装置（不図示）からの温風を各シート列３０に供給するようになっている。
なお、図１は、ヒータダクト構造１０がシート列のシート本体間の床下に埋設されている例を示しているが、ヒータダクト構造１０の設置位置は特に限定されない。
【００１９】
図２に示すように、ヒータダクト構造１０は、主として、溝部材（インナーダクト）１２と、ノズル板１４と、蓋部材（パッチプレート）１６とにより構成される。
【００２０】
溝部材１２は、図２に示すように、バス車両の車室の前後方向に延びるように配置されており、シート列の最前列から最後列まで対応する位置まで延設される。
また、この溝部材１２は、開口部１２Ａと溝部１２Ｂとを有する。
【００２１】
図２に示すように、ノズル板１４は、溝部材１２の開口部１２Ａを覆うように、バス車両の各シート列に対応する位置に複数配置される。このノズル板１４は、温風を吹き出す吹出口１５を有する。
また、ノズル板１４の端部１４Ａは、湾曲しており、溝部材１２の溝部１２Ｂに係合するようになっている。
【００２２】
ノズル板１４は、溝部１２Ｂに沿って前後にスライドして、溝部材１２の任意の位置に取り付けることができる。ノズル板１４の数は、シート列数の増減やシート列のレイアウトに伴って増減する。
【００２３】
なお、ノズル板１４の長さｌは、バス車両のシート列が最大限配置される場合を想定して設定される。すなわち、ヒータダクト構造１０の長さをＬ、シート列数をｎとした場合、Ｌ／ｌ＞ｎである。よって、ノズル板１４の長さｌは、Ｌ／ｎよりも小さくなるように（ｌ＜Ｌ／ｎ）設定される。
【００２４】
蓋部材１６は、図２に示すように、隣接するノズル板１４間に配置されており、隣接するノズル板１４間に露出した溝部材１２の開口部１２Ａを全て覆うように設けられる。
蓋部材１６の端部１６Ｂは、湾曲しており、溝部材１２の溝部１２Ｂに係合するようになっている。
また、蓋部材１６は、ノズル板１４の吹出口１５に沿うように形成される切り欠き部１６Ａを両端に有している。
【００２５】
図３（ａ）〜（ｃ）に示すように、蓋部材１６の切り欠き部１６Ａは、吹出口１５の分割形状に対応する形状である。このため、シートピッチの変更に伴って隣接するノズル板１４間が狭まった場合（図３（ｃ）参照）であっても、ノズル板１４上に配置することが可能である。なお、蓋部材１６は、隣接するノズル板１４間が広がった場合（図３（ｂ）参照）であってもノズル板１４上に配置することができることはいうまでもない。
【００２６】
上記構成のヒータダクト構造１０では、複数のノズル板１４と、蓋部材１６とを組み合わせて構成されるので、シート列数に合わせてノズル板１４の個数を増減することができる。このため、シート列数にあわせて吹出口１５の数を変更することができる。よって、シート列数が変更する場合であっても、新規に部品を製作することなく部品を共通化することができ、シート列数の変更に対応することができる。また、製作コストを低減することができる。
【００２７】
さらに、ノズル板１４および蓋部材１６は、溝部材１２に沿って車室の前後方向に自由に動かすことができる。よって、シート列数の増減やシート列のレイアウトに伴ってシートピッチを変更する場合であっても、シートピッチに応じて吹出口１５の位置を容易に変更することができる。
【００２８】
なお、ヒートダクト構造１０を構成する上述の溝部材１２と、ノズル板１４と、蓋部材１６は、例えば、鋼板等を利用してダクトを成形してもよいが、断熱性を確保するために、樹脂（熱可塑性・熱硬化性を有する）を使用して成形することが望ましい。特に、バスの場合は、車両が大きいためにダクトも長尺となり、ダクトの強度がある程度必要となるため、強度の高い樹脂を必要とする。例えば、繊維強化プラスチック（ＦＲＰ）によって成形するのがよい。
また、これらのヒートダクト構造１０を構成する部品を成形するために、様々なＦＲＰ成型法が適用できる。例えば、レジントランスファー（Ｌ−ＲＴＭ［Light Resin Transfer Molding］）法やハンドレイアップ法を選択することができる。
【００２９】
［実施形態２］
次に、実施形態２のヒータダクト構造について説明する。
実施形態２では、溝部材１２の構成を除けば、実施形態１で説明したヒータダクト構造１０と同一の構成であるので、その詳細な説明を省略する。
【００３０】
図４は、実施形態２のヒータダクト構造の構成例を示す図であり、（ａ）は側面図、（ｂ）は上面図である。
【００３１】
溝部材１２は、図４（ａ），（ｂ）に示すように、車室の前方から車室の後方に向かって吹出口１５への分岐点２０を経るにしたがって断面積が減少してもよい。
これにより、図４の矢印方向のように、車室の前方から車室の後方に向かって流れる温風の風速をシート列の最後列まで維持することができる。このため、車室の前方後方に関わらず、吹出口１５から吹き出す温風の風速が均一となり、均等な配風が可能となる。よって、車室内を効率よく暖めることができる。
【００３２】
［実施形態３］
次に、実施形態３のヒータダクト構造について説明する。
実施形態３では、溝部材１２が外層部材１８に被覆されている点を除けば、実施形態１で説明したヒータダクト構造１０と同一の構成であるので、その詳細な説明を省略する。
【００３３】
図５は、実施形態３のヒータダクト構造の構成例を示す一部断面図である。本実施形態では、バス車両の床下空間に埋設されているヒータダクト構造１０を例に挙げている。
【００３４】
図５に示すように、溝部材１２は、車室の床２２下に埋設されており、間隙１９を空けて外層部材１８によって被覆される。
このように、床下に埋設することにより、車室の床上空間を大きくすることができ、車室の居住性が向上する。
また、溝部材１２と外層部材１８とのあいだに設けられる間隙１９によって空気層が形成され、断熱性が向上する。間隙１９に形成される空気層は、低コストで断熱性を向上させる。なお、間隙１９の大きさは、断熱性を確保する観点から、５ｍｍ以上あればよい。
【００３５】
また、間隙１９には、断熱性をより一層向上させるために、空気層に代えて、窒素ガスや炭酸ガスなどによって形成される断熱ガス層を設けてもよいし、発泡スチロールやグラスウールなどの断熱材を設けてもよい。
【００３６】
図５に示すように、ノズル板１４および蓋部材１６と、溝部材１２との間には、シーリングゴム２４をくさびのようにして取り付けてもよい。これにより、ノズル板１４および蓋部材１６を溝部材１２の溝部１２Ｂに固定するとともに、温風漏れを防止することができる。
【００３７】
ヒータダクト構造１０は、例えば、床受けフレーム２８にビス２９を用いて固定してもよい。一般的に、床受けフレーム２８は、バス車両に床２２を取り付けるために設けられるものであるが、本実施形態では、ヒータダクト構造１０を取り付ける場合にも用いてもよい。
【００３８】
ヒータダクト構造１０と床２２との間には、例えば、スポンジゴム素材のインシュレータ２６を設けてもよい。これにより、断熱性を向上させるとともに、蓋部材１６、ノズル板１４、切り欠き部１６Ａ（図２参照）と床２２との間に生じる隙間を塞ぎ、温風漏れを防止することができる。
【００３９】
なお、外層部材１８は、実施形態２の溝部材１２と同様に、車室後方へ行くにつれて断面積が減少する形状であってもよい。これにより、ヒータダクト構造１０をより軽量化することができる。
【００４０】
以上、本発明の実施形態について詳細に説明したが、本発明はこれに限定されず、本発明の要旨を逸脱しない範囲において、実施形態で説明した構成を任意に組み合わせてもいいのは言うまでもない。
【符号の説明】
【００４１】
１０      ヒータダクト構造
１２      溝部材
１２Ａ    開口部
１２Ｂ    溝部
１４      ノズル板
１５      吹出口
１６      蓋部材
１６Ａ    切り欠き部
１８      外層部材
１９      間隙
２０      分岐点
２２      床
２４      シーリングゴム
２６      インシュレータ
２８      床受けフレーム
２９      ビス
３０      シート列
【図１】
2011131742.tif 000003
【図２】
2011131742.tif 000004
【図３】
2011131742.tif 000005
【図４】
2011131742.tif 000006
【図５】
2011131742.tif 000007